(57)【要約】【課題】本発明の課題は、デジタル−アナログ信号変換中継局を設けることにより、デジタル親局からデジタル子局及びアナログ子局への一斉通報が可能となる同報通信システムを提供することにある。【解決手段】本発明は、デジタル親局１０１から送信された呼び出し用デジタル無線信号により呼び出され、同報送信された通報用デジタル無線信号を受信するデジタル子局１０５，１０６と、デジタル親局１０１から送信された呼び出し用デジタル無線信号及び通報用デジタル無線信号を受信し、呼び出し用アナログ無線信号及び通報用アナログ無線信号に変換して送信するデジタル−アナログ信号変換中継局１０４と、デジタル−アナログ信号変換中継局１０４から送信された呼び出し用アナログ無線信号により呼び出され、通報用アナログ無線信号を受信するアナログ子局１０７，１０８とを具備することを特徴とするものである。【選択図】図１
2008022258.tif 000002
【特許請求の範囲】
【請求項１】
呼び出し用デジタル無線信号を送信して子局を呼び出し、通報用デジタル無線信号を同報送信して通報する操作卓及び基地局よりなるデジタル親局と、
前記デジタル親局から送信された呼び出し用デジタル無線信号により呼び出され、同報送信された通報用デジタル無線信号を受信するデジタル子局と、
前記デジタル親局から送信された呼び出し用デジタル無線信号及び通報用デジタル無線信号を受信し、呼び出し用アナログ無線信号及び通報用アナログ無線信号に変換して送信するデジタル−アナログ信号変換中継局と、
前記デジタル−アナログ信号変換中継局から送信された呼び出し用アナログ無線信号により呼び出され、通報用アナログ無線信号を受信するアナログ子局と
を具備することを特徴とする同報通信システム。
【請求項２】
デジタル親局から同報送信される通報用デジタル無線信号の通報タイミングを、全てのアナログ子局の呼び出し完了時間に合わせることを特徴とする請求項１に記載の同報通信システム。
【請求項３】
デジタル−アナログ信号変換中継局は、全てのアナログ子局の呼び出しが終了するまで呼び出し済みのアナログ子局が通報用アナログ無線信号を受信しないようにダミーの呼び出し用アナログ無線信号を送信することを特徴とする請求項１又は２に記載の同報通信システム。
【発明の詳細な説明】
【技術分野】
【０００１】
本発明は、例えば市町村防災デジタル同報システム（ＡＲＩＢ−ＳＴＤ  Ｔ８６）において、デジタル親局に対してデジタル子局、アナログ子局が混在する同報無線システム等に用いられる同報通信システムに関するものである。
【背景技術】
【０００２】
現在、市町村防災デジタル同報システムが導入されているが、親局、子局、全てのシステムが同時にデジタル化される例ばかりではなく、親局と一部の子局のみをデジタル化し、残りは既設のアナログ子局をそのまま使用する場合がある。
【０００３】
この場合、呼び出し側の親局がデジタルで、呼び出される子局がアナログとなるため、親局が出すデジタル信号を従来のアナログ信号に変換して呼び出しを行うなどの方法が必要となる。
【０００４】
図２は従来のデジタル通報方式を示す動作説明図である。図２に示すように、親局操作卓が発信操作されると、親局操作卓からデジタル基地局に通報開始要求（対象子局１，…，６，…）信号が送信される。デジタル基地局は親局操作卓から通報開始要求（対象子局１，…，６，…）信号を受信し、通報対処局の子局番号を得る。デジタル基地局は子局に対し、放送開始指示信号１回で２局ずつ順に呼び出す。デジタル子局１が放送開始指示信号（対象子局１，＊）を受信すると、放送開始指示信号（対象子局１，＊）の通報対象局に自局番号があるので「番号通知」信号待ち状態に遷移する。デジタル子局６が放送開始指示信号（対象子局１，＊）を受信すると、放送開始指示信号（対象子局１，＊）の通報対象局に自局番号がないので無視する。デジタル子局６が放送開始指示信号（対象子局＊，６）を受信すると、放送開始指示信号（対象子局＊，６）の通報対象局に自局番号があるので「番号通知」信号待ち状態に遷移する。デジタル基地局は全通報対象デジタル子局１，…，６，…分の放送開始指示信号を送出後、番号通知信号を各通報対象デジタル子局１，…，６，…に送出する。各通報対象デジタル子局１，…，６，…は番号通知信号を受信して通報中に遷移する。デジタル基地局は番号通知信号を出したので通報中に遷移すると共に、親局操作卓に通報中状態になったことを通知する。親局操作卓は通報中状態通知を受信して通報中に遷移すると共に、一括放送音声信号を送出する。
【０００５】
以上のことはデジタル基地局の呼び出し方式及びデジタル子局の呼び出し方式（ＡＲＩＢ−ＳＴＤ  Ｔ８６）としてまとめることができる。
【０００６】
１．デジタル基地局の呼び出し方式
・操作卓から通報対処局の子局番号を受信する。
【０００７】
・子局に対し、放送開始指示信号１回で２局ずつ順に呼び出す。
【０００８】
・全通報対象局分の放送開始指示信号送出後、番号通知信号を送出する。
【０００９】
・番号通知信号送出後、操作卓に通報状態になったことを通知し、通報中になる。
【００１０】
２．デジタル子局の呼び出し方式
・放送開始指示信号の通報対象局に自局番号があれば番号通知信号受信待ち状態になる。
【００１１】
・一回の放送開始指示信号で2局ずつ呼び出される。
【００１２】
・番号通知信号受信後、通報状態(スピーカオープン)になる。
【００１３】
図３は従来のアナログ通報方式を示す動作説明図である。図３に示すように、親局操作卓が発信操作されると、親局操作卓から既設のアナログ基地局に通報開始要求（対象子局３，４９，５０）信号が送信される。アナログ基地局は親局操作卓から通報開始要求（対象子局３，４９，５０）信号を受信し、通報対処局のアナログ子局番号を得る。アナログ基地局はアナログ子局３，４９，５０に対し、放送開始指示信号１回で１局ずつ順に呼び出す。アナログ子局３が放送開始指示信号（対象子局３）を受信すると、放送開始指示信号（対象子局３）の通報対象局が自局番号であるので一定時間経過後通報中に遷移する。アナログ子局５０が放送開始指示信号（対象子局３）を受信すると、放送開始指示信号（対象子局３）の通報対象局が自局番号でないので無視する。アナログ子局３が放送開始指示信号（対象子局４９）を受信すると、他局宛の放送開始指示信号（対象子局４９）が出ているので通報中に遷移しない。アナログ子局５０が放送開始指示信号（対象子局５０）を受信すると、放送開始指示信号（対象子局５０）の通報対象局が自局番号であるので一定時間経過後通報中に遷移する。アナログ子局３，５０は他局宛の放送開始指示信号がなくなってから一定時間経過した後に通報中に遷移する。アナログ基地局は全通報対象局に放送開始指示信号を出して一定時間経過した後に通報中に遷移すると共に、親局操作卓に通報中状態になったことを通知する。親局操作卓は通報中状態通知を受信して通報中に遷移すると共に、一括放送音声信号を送出する。
【００１４】
以上のことはアナログ子局の呼び出し方式としてまとめることができる。
【００１５】
３．アナログ子局の呼び出し方式
・放送開始指示信号の通報対象局番号が自局であれば通報中となる。
【００１６】
・一回の放送開始指示信号で1局ずつ順に呼び出される。
【００１７】
・他局宛の放送開始指示信号が流れている間は呼び出し完了した局であっても、通報状態にはならない。
【００１８】
・他局宛の放送開始指示信号がなくなってから一定時間経過で通報状態になる。
【非特許文献１】社団法人  電波産業会  「市町村デジタル同報通信システム標準規格ＡＲＩＢ  ＳＴＤ−Ｔ８６」  平成１５年７月
【発明の開示】
【発明が解決しようとする課題】
【００１９】
市町村防災デジタル同報システム（ＡＲＩＢ−ＳＴＤ  Ｔ８６）の一斉通報は基地局からの一方的な信号送信により通報を開始するが、デジタル子局が通報開始信号送出から実際に放送が出来るようになるスピーカオープンまでのタイミングは従来のアナログ子局とは異なる。
【００２０】
またユーザが、デジタル子局とアナログ子局が混在した局選択をし通報を行うと、親局はデジタル局であるために、デジタル子局の呼び出しが終了した時点で通報を開始(スピーカオープンがされたと判断)するが、呼び出しに時間のかかるアナログ子局の呼び出しが完了していない場合がある。
【００２１】
本発明は上記の事情に鑑みてなされたもので、デジタル親局に対しデジタル子局及びアナログ子局が混在する無線システムにおいて、デジタル−アナログ信号変換中継局を設けることにより、デジタル親局からデジタル子局及びアナログ子局への一斉通報が可能となる同報通信システムを提供することを目的とする。
【課題を解決するための手段】
【００２２】
上記目的を達成するために本発明の同報通信システムは、呼び出し用デジタル無線信号を送信して子局を呼び出し、通報用デジタル無線信号を同報送信して通報する操作卓及び基地局よりなるデジタル親局と、前記デジタル親局から送信された呼び出し用デジタル無線信号により呼び出され、同報送信された通報用デジタル無線信号を受信するデジタル子局と、前記デジタル親局から送信された呼び出し用デジタル無線信号及び通報用デジタル無線信号を受信し、呼び出し用アナログ無線信号及び通報用アナログ無線信号に変換して送信するデジタル−アナログ信号変換中継局と、前記デジタル−アナログ信号変換中継局から送信された呼び出し用アナログ無線信号により呼び出され、通報用アナログ無線信号を受信するアナログ子局とを具備することを特徴とするものである。
【００２３】
また、本発明は前記同報通信システムにおいて、デジタル親局から同報送信される通報用デジタル無線信号の通報タイミングを、全てのアナログ子局の呼び出し完了時間に合わせることを特徴とするものである。
【００２４】
また、本発明は前記同報通信システムにおいて、デジタル−アナログ信号変換中継局は、全てのアナログ子局の呼び出しが終了するまで呼び出し済みのアナログ子局が通報用アナログ無線信号を受信しないようにダミーの呼び出し用アナログ無線信号を送信することを特徴とするものである。
【発明の効果】
【００２５】
本発明では、市町村防災デジタル同報システム（ＡＲＩＢ−ＳＴＤ  Ｔ８６）準拠のデジタル基地局が出すデジタル信号を従来のアナログ子局が受信出来るアナログ信号と手順に変換するデジタル−アナログ信号変換中継局を通して呼び出すことにより、デジタル基地局と子局が市町村防災デジタル同報システム（ＡＲＩＢ−ＳＴＤ  Ｔ８６）準拠のまま、かつアナログ子局が従来方式のまま一斉通報が可能となる通報方法をとることができる。
【００２６】
また、市町村防災無線においてもデジタル化が進む中、多い市町村では数百局に及ぶ子局を同時にデジタル子局に変更することが出来ない市町村が多く、実際は、（１）親局、（２）デジタル化の効果が大きい子局、（３）一般子局、の順にデジタル化され、デジタル基地局に対しデジタル子局とアナログ子局が混在する状況は一般的であり、本発明は必須である。
【００２７】
また、本発明は複数のデジタル−アナログ信号変換中継局を設置することにより、現在進む市町村合併においても既存の周波数体系を変更することなく対応できる点でも有効である。
【発明を実施するための最良の形態】
【００２８】
以下図面を参照して本発明の実施の形態を詳細に説明する。
【００２９】
図１は本発明の実施形態に係る同報通信システムを示す構成説明図である。図１において、１０１は操作卓１０２及び基地局１０３よりなるデジタル親局、１０４はデジタル−アナログ信号変換中継局、１０５はデジタル子局１、１０６はデジタル子局２、１０７はアナログ子局１、１０８はアナログ子局２である。すなわち、デジタル親局１０１は子局を呼び出すため呼び出し用デジタル無線信号を送信する。前記デジタル親局１０１から送信された呼び出し用デジタル無線信号により１０５のデジタル子局１及び１０６のデジタル子局２が呼び出される。デジタル−アナログ信号変換中継局１０４はデジタル親局１０１から送信された呼び出し用デジタル無線信号を受信し、呼び出し用アナログ無線信号に変換して送信する。デジタル−アナログ信号変換中継局１０４から送信された呼び出し用アナログ無線信号により１０７のアナログ子局１及び１０８のアナログ子局２が呼び出される。１０５のデジタル子局１、１０６のデジタル子局２、１０７のアナログ子局１及び１０８のアナログ子局２の呼び出しが完了すると、デジタル親局１０１は通報用デジタル無線信号を同報送信して通報する。デジタル親局１０１から同報送信された通報用デジタル無線信号を１０５のデジタル子局１及び１０６のデジタル子局２が受信する。デジタル−アナログ信号変換中継局１０４はデジタル親局１０１から送信された通報用デジタル無線信号を受信し、通報用アナログ無線信号に変換して送信する。１０７のアナログ子局１及び１０８のアナログ子局２はデジタル−アナログ信号変換中継局１０４から送信された通報用アナログ無線信号を受信する。前記呼び出し用デジタル無線信号及び呼び出し用アナログ無線信号には放送開始指示信号が含まれる。
【００３０】
また、前記同報通信システムにおいて、デジタル親局１０１から同報送信される通報用デジタル無線信号の通報タイミングを、全てのアナログ子局の呼び出し完了時間に合わせる。
【００３１】
また、前記同報通信システムにおいて、デジタル−アナログ信号変換中継局１０４は、全てのアナログ子局の呼び出しが終了するまで呼び出し済みのアナログ子局が通報用アナログ無線信号を受信しないようにダミーの呼び出し用アナログ無線信号を送信する。
【００３２】
図４は本発明の実施形態に係るデジタル通報方式を示す動作説明図である。
【００３３】
図４では通報対象子局がデジタル子局１，６、アナログ子局３，４９，５０のうちデジタル子局１，６の呼び出しについて説明する。図４に示すように、親局操作卓が発信操作されると、親局操作卓からデジタル基地局に通報開始要求（対象子局１，…，３，…，６，…４９，５０）信号が送信される。デジタル基地局は親局操作卓から通報開始要求（対象子局１，…，３，…，６，…４９，５０）信号を受信し、通報対処局の子局番号を得る。デジタル基地局は子局に対し、放送開始指示信号で順に呼び出す。デジタル子局１が放送開始指示信号（対象子局１，＊）を受信すると、放送開始指示信号（対象子局１，＊）の通報対象局に自局番号があるので「番号通知」信号待ち状態に遷移する。デジタル子局６が放送開始指示信号（対象子局１，＊）を受信すると、放送開始指示信号（対象子局１，＊）の通報対象局に自局番号がないので無視する。デジタル子局６が放送開始指示信号（対象子局＊，６）を受信すると、放送開始指示信号（対象子局＊，６）の通報対象局に自局番号があるので「番号通知」信号待ち状態に遷移する。デジタル基地局は全通報対象デジタル子局１，…，６，…分の放送開始指示信号を送出後、デジタル−アナログ信号変換中継局経由で呼び出されるアナログ子局の呼び出し時間を考慮した番号通知送出タイミングを調整して番号通知信号を各通報対象デジタル子局１，…，６，…に送出する。各通報対象デジタル子局１，…，６，…は番号通知信号を受信して通報中に遷移する。デジタル基地局は番号通知信号を出したので通報中に遷移すると共に、親局操作卓に通報中状態になったことを通知する。親局操作卓は通報中状態通知を受信して通報中に遷移すると共に、一括放送音声信号を送出する。
【００３４】
図５は本発明の実施形態に係るアナログ通報方式を示す動作説明図である。図５では通報対象子局がデジタル子局１，６、アナログ子局３，４９，５０のうちアナログ子局３，５０の呼び出しについて説明する。図５に示すように、親局操作卓が発信操作されると、親局操作卓からデジタル基地局に通報開始要求（対象子局１，…，３，…，６，…４９，５０）信号が送信される。デジタル基地局は親局操作卓から通報開始要求（対象子局１，…，３，…，６，…４９，５０）信号を受信し、通報対処局の子局番号を得る。デジタル基地局はデジタル−アナログ信号変換中継局経由でアナログ子局に対し、放送開始指示信号で順に呼び出す。デジタル−アナログ信号変換中継局はデジタル基地局から放送開始指示信号（対象子局１，＊）を受信しても、通報対象がデジタル子局の場合は無視する。デジタル−アナログ信号変換中継局はデジタル基地局から放送開始指示信号（対象子局３，＊）を受信すると、通報対象がアナログ子局３であるので、放送開始指示信号（対象子局３）をアナログ子局に送信する。アナログ子局３が放送開始指示信号（対象子局３）を受信すると、放送開始指示信号（対象子局３）の通報対象局が自局番号であるので一定時間経過後通報中に遷移する。アナログ子局５０が放送開始指示信号（対象子局３）を受信すると、放送開始指示信号（対象子局３）の通報対象局が自局番号でないので無視する。デジタル−アナログ信号変換中継局はデジタル基地局から放送開始指示信号が全て来ていない間は一定時間経過前に呼び出し済みのアナログ子局が通報中にならないように他局宛の放送開始指示信号（ダミー）を送出する。アナログ子局３が放送開始指示信号（ダミー）を受信すると、他局宛の放送開始指示信号（ダミー）が出ているので通報中に遷移しない。デジタル−アナログ信号変換中継局はデジタル基地局から放送開始指示信号（対象子局４９，５０）を受信すると、通報対象がアナログ子局４９，５０であるので、放送開始指示信号（対象子局４９）及び放送開始指示信号（対象子局５０）をアナログ子局に送信する。アナログ子局３が放送開始指示信号（対象子局４９）を受信すると、他局宛の放送開始指示信号（対象子局４９）が出ているので通報中に遷移しない。アナログ子局５０が放送開始指示信号（対象子局５０）を受信すると、放送開始指示信号（対象子局５０）の通報対象局が自局番号であるので一定時間経過後通報中に遷移する。アナログ子局３，５０は他局宛の放送開始指示信号がなくなってから一定時間経過した後に通報中に遷移する。デジタル基地局は全通報対象局に放送開始指示信号を出して一定時間経過した後に番号通知をデジタル−アナログ信号変換中継局に送出して通報中に遷移すると共に、親局操作卓に通報中状態になったことを通知する。親局操作卓は通報中状態通知を受信して通報中に遷移すると共に、一括放送音声信号を送出する。
【００３５】
以上のように、従来のデジタル基地局で、デジタル子局、アナログ子局を同時に呼び出そうとすると、デジタル基地局とアナログ子局で通報状態になるタイミングが異る。また、デジタル基地局が操作卓に通報開始状態になったことを通知したときには、アナログ子局が通報状態になっていない場合がある。
【００３６】
そこで、デジタル−アナログ信号変換中継局とデジタル基地局で以下の機能を設ける。
【００３７】
１．デジタル基地局の変更  (図４)
・子局に対し、放送開始指示信号１回で２局ずつ順に呼び出す。この呼出対象にはデジタル子局とアナログ子局が混在する。
【００３８】
・通報対象局にアナログ子局が含まれていると、デジタル−アナログ信号変換中継局がアナログ子局の呼び出しに時間がかかるので、その分を考慮し、デジタル子局への番号通知信号送信、及び操作卓への通報中状態を通知するタイミングを変更する。
【００３９】
(この変更はＡＲＩＢ−ＳＴＤ  Ｔ８６からは外れない)
２．デジタル子局の呼び出し方式(ＡＲＩＢ−ＳＴＤ  Ｔ８６)  (図４)
・従来と変化なし。
【００４０】
３．アナログ子局の呼び出し方式  (図５)
・デジタル−アナログ信号変換中継局がアナログ信号に変換した放送開始指示信号により呼び出される。
【００４１】
・アナログ子局の動作は従来と変化なし。
【００４２】
４．デジタル−アナログ信号変換中継局の機能  (図５)
・受信した放送開始指示信号の通報対象局の中からアナログ子局を探し出し、アナログ子局の呼び出し処理を開始する。
【００４３】
・デジタル基地局は複数選択された通報対象局を順次呼び出すため、デジタル−アナログ信号変換中継局がアナログ子局呼出中も放送開始指示信号を送出してくる。デジタル−アナログ信号変換中継局は通報対象のアナログ子局を記憶しておく機能を有し順次呼び出す。
【００４４】
・デジタル基地局からの放送開始指示信号にアナログ子局が含まれておらず、アナログ子局の放送開始指示信号がなくなると、アナログ子局が通報状態となる。
【００４５】
アナログ子局がデジタル基地局、デジタル子局よりも先に通報状態にならないようにするために、通報対象局にデジタル子局しかなくても、ダミーのアナログ子局への放送開始指示信号を送出するようにする。
【００４６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４７】
【図１】本発明の実施形態に係る同報通信システムを示す構成説明図である。
【図２】従来のデジタル通報方式を示す動作説明図である。
【図３】従来のアナログ通報方式を示す動作説明図である。
【図４】本発明の実施形態に係るデジタル通報方式を示す動作説明図である。
【図５】本発明の実施形態に係るアナログ通報方式を示す動作説明図である。
【符号の説明】
【００４８】
１０１…デジタル親局、１０２…操作卓、１０３…基地局、１０４…デジタル−アナログ信号変換中継局、１０５…デジタル子局１、１０６…デジタル子局２、１０７…アナログ子局１、１０８…アナログ子局２。
【図１】
2008022258.tif 000003
【図２】
2008022258.tif 000004
【図３】
2008022258.tif 000005
【図４】
2008022258.tif 000006
【図５】
2008022258.tif 000007